【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
カメラを用いて高解像度画像を生成する方法であって、
メインレンズと、マイクロレンズアレイとの間に配置された複屈折媒体を用いることによって、動作の第１の非励起状態において第１の画像セットを生成することであって、前記非励起状態は各画素に対して常光線を提供する、生成することと、
前記複屈折媒体の両端にわたって第２の励起状態を生成するように、電圧を印加することであって、前記励起状態は前記常光線から少なくとも一半画素の距離の異常光線を各画素に提供する、印可することと、
第２の光線セットが生成されるように、第２の励起状態において第２の画像セットを生成することと、
前記第２の画素セットの各画素を第２のサブアパーチャセットにマップすることと、
前記第２の画像セットに関連する前記値から前記第１の画像セットに関連する前記値を削除するように、前記第１の画像セット及び第２の画像セット用の値を決定することと、を含む方法。
【請求項２】
相異なる色強度及び特性の多数の画像を生成するシステムであって、
レンズアレイの前に配置されたメインレンズと、
前記メインレンズと前記マイクロレンズアレイとの間に配置された電気的に制御される複屈折媒体であって、電圧の印加で、第１の非励起状態と第２の励起状態との間で動作する複屈折媒体と、
各画素に対して常光線を提供するように、前記第１の非励起状態中に、前記第１の画像セットを生成する手段と、
前記常光線から少なくとも一半画素の距離の異常光線を各画素に提供するように、前記第２の励起状態において、前記第２の画像セットを生成する手段と、
前記異常状態において第２の画像セットを生成する手段と、
前記第１の画像セット及び第２の画像セットに関連する画素用の値を計算するように構成されたプロセッサであって、前記第２の画像セットに関連する画素から計算された値から前記第１の画像セットに関連する値を少なくとも２回減算するように同様に構成されたプロセッサと、を含むシステム。
【請求項３】
前記決定することは、前記第２の画像セットに関連する計算された前記値から前記第１の画像セットに関連する前記値を少なくとも２回減算することを含み、
前記減算することの後に、最終画像セットを生成することを更に含む、請求項１に記載の方法又は請求項２に記載のシステム。
【請求項４】
前記複屈折媒体の両端にわたる電圧の前記印加が、相異なるアパーチャセットにマップされる２つの同期光線セットを生成させ、各アパーチャはマイクロレンズに関連する、請求項１に記載の方法又は請求項２に記載のシステム。
【請求項５】
前記２つの光線セットが、それぞれ緑色及び青色である、請求項１に記載の方法又は請求項２に記載のシステム。
【請求項６】
前記第２の励起状態が、電圧のない状態で前記第１の状態に戻る、請求項１に記載の方法又は請求項２に記載のシステム。
【請求項７】
第１のセットが、第１の下部アパーチャにマップされ、第２のセットが、第２の上部アパーチャにマップされるように、電圧の前記印加が、２つの同期光線セットを生成する、請求項４に記載の方法又は請求項４に記載のシステム。
【請求項８】
前記第２の光線セットが、前記第１の光線セットと相異なる第２の屈折角を有する、請求項１に記載の方法又は請求項２に記載のシステム。
【請求項９】
前記第１及び前記第２の光線セットが、相異なる方向に伝搬する、請求項１に記載の方法又は請求項２に記載のシステム。
【請求項１０】
前記第１及び第２のセット光線が、相異なる屈折率を有する、請求項１に記載の方法又は請求項２に記載のシステム。
【請求項１１】
前記第１及び第２のセット光線が、相異なる伝搬距離で生成される、請求項１に記載の方法又は請求項２に記載のシステム。
【請求項１２】
更に、電圧の前記印加が、２つの同期光線セットを生成し、第１のセットが、第１の下部アパーチャにマップされ、第２のセットが、第２の上部アパーチャにマップされるようにする、請求項４に記載のシステム又は請求項４に記載のシステム。
【請求項１３】
前記第１の光線が、前記第１の非励起状態に関連するものとして屈折する緑色であり、前記第２の光線が、前記励起された第２の励起状態に関連するものとして屈折する青色である、請求項１に記載のシステム又は請求項２に記載のシステム。
【請求項１４】
前記第１及び光線の第２のセットが、相異なる伝搬距離で生成される、請求項１に記載のシステム又は請求項２に記載のシステム。
【請求項１５】
前記第１及び前記第２の光線セットが、相異なる方向に伝搬する、請求項１に記載のシステム又は請求項２に記載のシステム。
【手続補正２】
【補正対象書類名】明細書
【補正対象項目名】００２８
【補正方法】変更
【補正の内容】
【００２８】
図４は、一実施形態に従って上記で説明したプロセスの流れ図表現である。図４は、複数のアパーチャを有するレンズアレイの前にメインレンズを配置したプレノプティックカメラを用いて、相異なる色強度及び特性の複数の画像を生成する方法用のステップを図示する。図４においてステップ４１０に示されているように、第１の画像セットが、電気光学偏光変調器の第１の状態を用いて捕捉される。一実施形態において、変調器は、前記メインレンズと複数のアパーチャを備えたレンズアレイとの間に配置される。ステップ４２０において、第２の画像セットが、電気光学偏光変調器の第２の状態を用いて捕捉される。ステップ４３０において、第２の画像セットに関する情報は、例えば構成されたプロセッサなどを用いて、第１のセットに関する情報から減算される。ステップ４４０において、最終画像セットが減算後に生成され、前記最終画像セットが、解像度を向上させるようにする。一実施形態において、相異なる色強度及び特性の複数の画像を生成するためのシステムは、図４の方法ステップ並びに図３Ａ及び３Ｂの配置を行うために用いることができる。この実施形態において、メインレンズ（３１０）は、複数のアパーチャに関連するレンズアレイ（３５２）の前に配置される。図３Ａに示されているような電気的に制御される電気光学変調器（３２５）は、示されているマイクロレンズとレンズアレイとの間に配置することができる。電気光学変調器は、電圧が印加されると、２つの状態（図３Ａの３３０及び３４０）の間で機能する。次に、図４に関連して説明されているように、第１の画像セットは、電気光学偏光変調器の第１の状態を用いて捕捉され、第２の画像セットも又、電気光学偏光変調器の第２の状態を用いて捕捉される。続いて、向上された色強度及び特性を備えた最終画像セットを生成する（図４の４４０）ために、捕捉された画像の第１のセットに関する情報から前記第２の画像セットに関する情報を減算するように構成されるプロセッサが、システムに組み込まれ得る。このようにして、プレノプティックカメラが非常に乏しい色情報を伝える非常に複雑な状況においてさえ、豊富な色情報が、取得され得る。
（付記１）
プレノプティックカメラを用いて高解像度画像を生成する方法であって、
メインレンズと、複数のアパーチャを有するレンズアレイとの間に配置された複屈折媒体を用いることによって、動作の第１の非励起状態において第１の画像セットを捕捉すること（４１０）と、
前記第１の画像セットの各画素を第１のアパーチャセットにマップすること（４１０）と、
前記複屈折媒体の両端にわたって電圧を印加することによって、前記第１の非励起状態を第２の励起状態（４１５）にさせること（４１０）と、
第２の光線セットが生成されるように、第２の励起状態において第２の画像セットを捕捉すること（４２０）と、
前記第２の画素セットの各画素を第２のサブアパーチャセットにマップすること（４２０）と、
前記第１の画像セット及び第２の画像セット用の値を計算すること（４３０）と、
前記第２の画像セットに関連する計算された値から前記第１の画像セットに関連する値を少なくとも２回減算すること（４３０）と、
を含む方法。
（付記２）
前記減算ステップ後に、最終画像セットを生成すること（４４０）を更に含む、付記１に記載の方法。
（付記３）
前記複屈折媒体の両端にわたる電圧の前記印加が、相異なるアパーチャセットにマップされる２つの同期光線セットを生成させる、付記１に記載の方法。
（付記４）
前記２つの光線セットが、それぞれ緑色及び青色であり、前記マップされたアパーチャの幾つかが共有される、付記３に記載の方法。
（付記５）
前記第２の励起状態が、電圧のない状態で前記第１の状態に戻る、付記１又は４に記載の方法。
（付記６）
第１のセットが、第１の下部アパーチャにマップされ、第２のセットが、第２の上部アパーチャにマップされるように、電圧の前記印加が、２つの同期光線セットを生成する、付記１に記載の方法。
（付記７）
前記第２の光線セットが、前記第１の光線セットと相異なる第２の屈折角を有する、付記１、４又は６に記載の方法。
（付記８）
前記第１及び前記第２の光線セットが、相異なる方向に伝搬する、付記１、４又は６に記載の方法。
（付記９）
前記第１及び第２のセット光線が、相異なる屈折率を有する、付記７に記載の方法。
（付記１０）
前記第１及び第２のセット光線が、相異なる伝搬距離で生成される、付記１〜９のいずれか一項に記載の方法。
（付記１１）
相異なる色強度及び特性の多数の画像を生成するシステムであって、
複数のアパーチャに関連するレンズアレイ（３５２）の前に配置されたメインレンズ（３１０）と、
前記メインレンズと前記レンズアレイとの間に配置された電気的に制御される複屈折媒体（３２５）であって、電圧の印加で、第１の非励起状態（３４０）と第２の励起状態（３３０）との間で動作する複屈折媒体（３２５）と、
第１の画像セットの各画素が、第１のアパーチャセットに対応するように、前記第１の非励起状態中に、前記第１の画像セットを捕捉しマップする（４２０）手段と、
第２の画像セットの各画素が、第２のアパーチャセットに対応するように、前記第２の励起状態中に、前記第２の画像セットを捕捉しマップする（４３０）手段と、
前記異常状態において第２の画像セットを捕捉する手段と、
前記第１の画像セット及び第２の画像セットに関連する画素用の値を計算する（４３０）ように構成されたプロセッサ（４４０）であって、前記第２の画像セットに関連する画素から計算された値から前記第１の画像セットに関連する値を少なくとも２回減算する（４３０）ように同様に構成されたプロセッサ（４４０）と、を含むシステム。
（付記１２）
更に、電圧の前記印加が、２つの同期光線セットを生成し、第１のセットが、第１の下部アパーチャにマップされ、第２のセットが、第２の上部アパーチャにマップされるようにする、付記１１に記載のシステム。
（付記１３）
前記第１の光線が、前記第１の非励起状態に関連するものとして屈折する緑色であり、前記第２の光線が、前記励起された第２の励起状態に関連するものとして屈折する青色である、付記１２に記載のシステム。
（付記１４）
前記第１及び光線の第２のセットが、相異なる伝搬距離で生成される、付記１１、１２又は１３に記載のシステム。
（付記１５）
前記第１及び前記第２の光線セットが、相異なる方向に伝搬する、付記１４に記載のシステム。